(57)【要約】【課題】高い視認性を確保して、複数の画像を短時間で素早く表示する表示装置の提供。【解決手段】本発明に係る表示装置は、複数の画像を高速で更新して表示する旨の指示を取得した場合に、表示すべき複数の画像を取得する画像取得部と、画像取得部によって取得された複数の画像のそれぞれの一部の領域を部分画像として切り出す切り出し部と、切り出された複数の部分画像のうち一度に表示可能な数量の部分画像を並べて合成することによって合成画像を生成し、合成画像に含まれる複数の部分画像のうちの１つの部分画像を削除すると共に、合成画像に含まれていない次の部分画像を追加することによって次の合成画像を生成する画像合成部と、合成画像を指定された更新速度で順次更新して表示する表示部とを備える。【選択図】図２０
2006099058.tif 000002
【特許請求の範囲】
【請求項１】
複数の画像を順次更新して表示する表示装置であって、
複数の画像を高速で更新して表示する旨の指示を取得した場合に、表示すべき複数の画像を取得する画像取得部と、
前記画像取得部によって取得された複数の画像のそれぞれの一部の領域を部分画像として切り出す切り出し部と、
前記切り出し部によって切り出された複数の部分画像のうち一度に表示可能な数量の部分画像を並べて合成することによって合成画像を生成し、前記合成画像に含まれる複数の部分画像のうちの１つの部分画像を削除すると共に、前記合成画像に含まれていない次の部分画像を追加することによって次の合成画像を生成する画像合成部と、
前記合成画像を指定された更新速度で順次更新して表示する表示部と
を備える表示装置。
【請求項２】
前記画像取得部が取得した複数の画像のそれぞれは、主要被写体の位置を特定する情報を含み、
前記切り出し部は、前記主要被写体を含むように部分画像を切り出す
請求項１に記載の表示装置。
【請求項３】
前記切り出し部は、前記画像取得部が取得した１つの画像が複数の主要被写体の位置を特定する情報を含む場合、１つの画像から前記複数の主要被写体をそれぞれ含むように複数の部分画像をそれぞれ切り出し、
前記画像合成部は、前記切り出し部が１つの画像から切り出した複数の部分画像のそれぞれを並べて合成することによって合成画像を生成する
請求項１に記載の表示装置。
【請求項４】
前記指定された更新速度が所定の閾値を越えた場合に、前記切り出し部は部分画像の大きさを縮小すると共に、前記画像合成部は合成画像に含まれる部分画像の数量を増やす
請求項１に記載の表示装置。
【請求項５】
前記指定された更新速度が所定の閾値を越えた場合に、前記画像合成部は複数の部分画像を間引いて合成画像を生成する
請求項１に記載の表示装置。
【請求項６】
前記表示部は、画像を高速に更新して表示する場合に表示の輝度およびコントラストの少なくとも一方を上げる
請求項１に記載の表示装置。
【請求項７】
前記画像取得部が取得した複数の画像のうちで、連写撮像によって撮像された複数の画像を選択する連写画像選択部
をさらに備え、
前記画像合成部は、前記連写画像選択部が選択した複数の画像から切り出された複数の部分画像のそれぞれが同一の位置に時系列で連続して表示されるように、複数の合成画像のそれぞれを生成する
請求項１に記載の表示装置。
【請求項８】
前記画像合成部は、前記連写画像選択部が選択した第１の画像から切り出された部分画像を含む合成画像を生成し、前記連写画像選択部が選択した第１の画像に含まれる部分画像を削除すると共に、前記連写画像選択部が選択した第２の画像に含まれる部分画像を追加することによって次の合成画像を生成し、
前記表示部は、前記連写画像選択部が選択した複数の画像から切り出された部分画像を、前記連写画像選択部が選択しなかった複数の画像から切り出された部分画像より短い更新速度で更新して表示する
請求項７に記載の表示装置。
【請求項９】
前記切り出し部が切り出した複数の部分画像の内容に応じて、部分画像の更新速度を決定する更新速度決定部
をさらに備え、
前記画像合成部は、前記更新速度決定部が決定した部分画像毎の更新速度に基づいて、合成画像から削除する部分画像を決定し、次の部分画像を追加することによって次の合成画像を生成し、
前記表示部は、前記更新速度決定部が決定した部分画像毎の更新速度で部分画像を更新して表示する
請求項１に記載の表示装置。
【請求項１０】
前記切り出し部が切り出した複数の画像のそれぞれに含まれる周波数成分を算出する周波数成分算出部
をさらに備え、
前記更新速度決定部は、前記周波数成分算出部が算出した周波数成分において所定周波数以上の高周波成分のレベルがより大きい部分画像の更新速度をより遅く決定する
請求項９に記載の表示装置。
【請求項１１】
前記切り出し部が切り出した複数の部分画像のそれぞれに含まれるオブジェクトの数を算出するオブジェクト数算出部
をさらに備え、
前記更新速度決定部は、前記オブジェクト数算出部が算出したオブジェクトの数がより多い部分画像の更新速度をより遅く決定する
請求項９に記載の表示装置。
【請求項１２】
前記オブジェクト数算出部は、前記切り出し部が切り出した複数の部分画像のそれぞれに含まれる人物の数を算出し、
前記更新速度決定部は、前記オブジェクト数算出部が算出した人物の数がより多い部分画像の更新速度をより遅く決定する
請求項１１に記載の表示装置。
【請求項１３】
前記切り出し部が切り出した複数の部分画像のそれぞれに含まれる人物の数を算出するオブジェクト数算出部と、
前記オブジェクト数算出部が算出した人物の数が多い順に部分画像の表示順序を決定する表示順序決定部と
をさらに備え、
前記画像合成部は、前記表示順序決定部が決定した表示順序に従って部分画像を順次選択して複数の合成画像を順次生成する
請求項１に記載の表示装置。
【請求項１４】
前記画像取得部が取得した複数の画像のそれぞれは、画像の向きを特定する情報を含み、
前記切り出し部は、横向きの画像から横長の部分画像を切り出し、縦向きの画像から縦長の部分画像を切り出し、
前記画像合成部は、複数の横長の部分画像をまとめて合成して合成画像を生成し、複数の縦長の部分画像をまとめて合成して合成画像を生成する
請求項１に記載の表示装置。
【請求項１５】
表示装置において複数の画像を順次更新して表示する表示方法であって、
複数の画像を高速で更新して表示する旨の指示を取得した場合に、表示すべき複数の画像を取得し、
取得された複数の画像のそれぞれの一部の領域を部分画像として切り出し、
切り出された複数の部分画像のうち一度に表示可能な数量の部分画像を並べて合成することによって合成画像を生成し、
前記合成画像に含まれる複数の部分画像のうちの１つの部分画像を削除すると共に、前記合成画像に含まれていない次の部分画像を追加することによって次の合成画像を生成し、
前記合成画像を指定された更新速度で順次更新して表示する
表示方法。
【請求項１６】
複数の画像を順次更新して表示する表示装置用のプログラムであって、前記表示装置に、
複数の画像を高速で更新して表示する旨の指示を取得した場合に、表示すべき複数の画像を取得する画像取得機能と、
画像取得部によって取得された複数の画像のそれぞれの一部の領域を部分画像として切り出す切り出し機能と、
前記切り出し部によって切り出された複数の部分画像のうち一度に表示可能な数量の部分画像を並べて合成することによって合成画像を生成し、前記合成画像に含まれる複数の部分画像のうちの１つの部分画像を削除すると共に、前記合成画像に含まれていない次の部分画像を追加することによって次の合成画像を生成する画像合成機能と、
前記合成画像を指定された更新速度で順次更新して表示する表示機能と
を実現させるプログラム。
【請求項１７】
複数の画像を順次更新して表示する表示装置であって、
静止画および動画を含む複数の画像を高速で更新して表示する旨の指示を取得した場合に、表示すべき静止画および動画を取得する画像取得部と、
前記画像取得部が取得した静止画および動画のうちの一度に表示可能な数量の静止画および動画のそれぞれを並べて表示する表示部と、
前記表示部が表示している静止画および動画のうちの１つの静止画又は動画に代えて、前記画像取得部が取得した静止画又は動画のうちで未だ前記表示部に表示されていない静止画又は動画を前記表示部に表示させる表示制御部と、
ユーザから指定された更新速度で、前記表示部が表示する静止画又は動画を順次更新して表示させる更新制御部と
を備える表示装置。
【請求項１８】
前記画像取得部が取得した動画のうちで、当該動画の特徴的な部分期間の動画である部分期間動画を抽出する部分期間動画抽出部
をさらに備え、
前記表示部は、前記画像取得部が取得した静止画と、前記部分期間動画抽出部が抽出した部分期間動画とを並べて表示し、
前記更新制御部は、前記部分期間動画抽出部が抽出した部分期間動画が表示されている間に、ユーザから指定された更新速度で前記表示部が表示する静止画を順次更新して表示する
請求項１７に記載の表示装置。
【請求項１９】
前記画像取得部が取得した動画の主要被写体を特定する主要被写体特定部
をさらに備え、
前記部分期間動画抽出部は、前記主要被写体特定部が特定した主要被写体が写り込んでいる部分を含む部分期間動画を抽出する
請求項１８に記載の表示装置。
【請求項２０】
前記部分期間動画抽出部は、前記画像取得部が取得した動画のうちで、当該動画に付帯された音声の音量が予め定められた所定値より大きい部分を含む部分期間動画を抽出する
請求項１８に記載の表示装置。
【請求項２１】
前記更新制御部は、前記画像取得部が取得した動画が表示されている間に、ユーザから指定された更新速度で前記表示部が表示する静止画を順次更新して表示する
請求項１７に記載の表示装置。
【請求項２２】
前記画像取得部が取得した静止画の一部の領域を部分静止画として切り出す静止画切り出し部と、
前記画像取得部が取得した動画に含まれる複数の動画構成画像のそれぞれの一部の領域を切り出して部分動画を生成する部分動画生成部と
をさらに備え、
前記表示部は、前記静止画切り出し部が切り出した部分静止画と、前記部分動画生成部が生成した部分動画のそれぞれとを並べて表示する
請求項１７に記載の表示装置。
【請求項２３】
前記画像取得部が取得した動画の主要被写体を特定する主要被写体特定部
をさらに備え、
前記部分動画生成部は、前記主要被写体特定部が特定した主要被写体を含むように、前記画像取得部が取得した動画に含まれる複数の動画構成画像のそれぞれの一部の領域を切り出して、前記主要被写体特定部が特定した主要被写体を追跡した部分動画を生成する
請求項２２に記載の表示装置。
【請求項２４】
前記表示部が同時に複数の動画を表示している場合に、当該複数の動画のそれぞれに付帯された複数の音声のそれぞれを、複数の動画のそれぞれが表示されている位置に対応する方向からそれぞれ出力する複数の音声出力部
をさらに備える請求項１７に記載の表示装置。
【請求項２５】
表示装置において複数の画像を順次更新して表示する表示方法であって、
静止画および動画を含む複数の画像を高速で更新して表示する旨の指示を取得した場合に、表示すべき静止画および動画を取得し、
取得された静止画および動画のうちの一度に表示可能な数量の静止画および動画のそれぞれを並べて表示し、
表示されている静止画および動画のうちの１つの静止画又は動画に代えて、取得された静止画又は動画のうちで未だ表示されていない静止画又は動画を表示させ、
ユーザから指定された更新速度で、表示される静止画又は動画を順次更新して表示させる
表示方法。
【請求項２６】
複数の画像を順次更新して表示する表示装置用のプログラムであって、前記表示装置に、
静止画および動画を含む複数の画像を高速で更新して表示する旨の指示を取得した場合に、表示すべき静止画および動画を取得する画像取得機能と、
画像取得部によって取得された静止画および動画のうちの一度に表示可能な数量の静止画および動画のそれぞれを並べて表示する表示機能と、
表示部に表示されている静止画および動画のうちの１つの静止画又は動画に代えて、前記画像取得部により取得された静止画又は動画のうちで未だ前記表示部に表示されていない静止画又は動画を前記表示部に表示させる表示制御機能と、
ユーザから指定された更新速度で、前記表示部により表示される静止画又は動画を順次更新して表示させる更新制御機能と
を実現させるプログラム。
【発明の詳細な説明】
【技術分野】
【０００１】
本発明は、表示装置、表示方法、およびプログラムに関する。特に、本発明は、高い視認性を確保しつつ、複数の画像を短時間で素早く表示する表示装置、表示方法、およびプログラムに関する。
【背景技術】
【０００２】
従来、表示装置で大量のデジタル画像を表示するには、利用者の操作に応じて、画像をスクロールしたり、スライドショーのように次々と画像を切り換えたり、個々の画像データを縮小したサムネイル画像を画面上に複数表示する（例えば、特許文献１参照。）。
【特許文献１】特開２００４−９０６３２号公報
【発明の開示】
【発明が解決しようとする課題】
【０００３】
しかしながら、画像をスクロールまたは次々と切り替える場合、ユーザが一度に視認する画像の数が少ないので、大量の画像を短時間で表示させることが困難であるという課題がある。また、サムネイル画像は、各画像の特徴部分が縮小されて表示されるので、構図が似た複数のサムネイル画像を区別することが困難であるという課題がある。
【０００４】
そこで本発明は、上記の課題を解決することのできる表示装置、表示方法、およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、表示装置であって、複数の画像を順次更新して表示する表示装置であって、複数の画像を高速で更新して表示する旨の指示を取得した場合に、表示すべき複数の画像を取得する画像取得部と、画像取得部によって取得された複数の画像のそれぞれの一部の領域を部分画像として切り出す切り出し部と、切り出し部によって切り出された複数の部分画像のうち一度に表示可能な数量の部分画像を並べて合成することによって合成画像を生成し、合成画像に含まれる複数の部分画像のうちの１つの部分画像を削除すると共に、合成画像に含まれていない次の部分画像を追加することによって次の合成画像を生成する画像合成部と、合成画像を指定された更新速度で順次更新して表示する表示部とを備える。
【０００６】
また、画像取得部が取得した複数の画像のそれぞれは、主要被写体の位置を特定する情報を含み、切り出し部は、主要被写体を含むように部分画像を切り出してもよい。そして、切り出し部は、画像取得部が取得した１つの画像が複数の主要被写体の位置を特定する情報を含む場合、１つの画像から複数の主要被写体をそれぞれ含むように複数の部分画像をそれぞれ切り出し、画像合成部は、切り出し部が１つの画像から切り出した複数の部分画像のそれぞれを並べて合成することによって合成画像を生成してもよい。更に、指定された更新速度が所定の閾値を越えた場合に、切り出し部は部分画像の大きさを縮小すると共に、画像合成部は合成画像に含まれる部分画像の数量を増やしてもよい。
【０００７】
そして、指定された更新速度が所定の閾値を越えた場合に、画像合成部は複数の部分画像を間引いて合成画像を生成してもよい。また、表示部は、画像を高速に更新して表示する場合に表示の輝度およびコントラストの少なくとも一方を上げてもよい。また、画像取得部が取得した複数の画像のうちで、連写撮像によって撮像された複数の画像を選択する連写画像選択部をさらに備え、画像合成部は、連写画像選択部が選択した複数の画像から切り出された複数の部分画像のそれぞれが同一の位置に時系列で連続して表示されるように、複数の合成画像のそれぞれを生成してもよい。
【０００８】
また、画像合成部は、連写画像選択部が選択した第１の画像から切り出された部分画像を含む合成画像を生成し、連写画像選択部が選択した第１の画像に含まれる部分画像を削除すると共に、連写画像選択部が選択した第２の画像に含まれる部分画像を追加することによって次の合成画像を生成し、表示部は、連写画像選択部が選択した複数の画像から切り出された部分画像を、連写画像選択部が選択しなかった複数の画像から切り出された部分画像より短い更新速度で更新して表示してもよい。そして、切り出し部が切り出した複数の部分画像の内容に応じて、部分画像の更新速度を決定する更新速度決定部をさらに備え、画像合成部は、更新速度決定部が決定した部分画像毎の更新速度に基づいて、合成画像から削除する部分画像を決定し、次の部分画像を追加することによって次の合成画像を生成し、表示部は、更新速度決定部が決定した部分画像毎の更新速度で部分画像を更新して表示してもよい。
【０００９】
更に、切り出し部が切り出した複数の画像のそれぞれに含まれる周波数成分を算出する周波数成分算出部をさらに備え、更新速度決定部は、周波数成分算出部が算出した周波数成分において所定周波数以上の高周波成分のレベルがより大きい部分画像の更新速度をより遅く決定してもよく、切り出し部が切り出した複数の部分画像のそれぞれに含まれるオブジェクトの数を算出するオブジェクト数算出部をさらに備え、更新速度決定部は、オブジェクト数算出部が算出したオブジェクトの数がより多い部分画像の更新速度をより遅く決定してもよい。また、オブジェクト数算出部は、切り出し部が切り出した複数の部分画像のそれぞれに含まれる人物の数を算出し、更新速度決定部は、オブジェクト数算出部が算出した人物の数がより多い部分画像の更新速度をより遅く決定してもよい。
【００１０】
そして、切り出し部が切り出した複数の部分画像のそれぞれに含まれる人物の数を算出するオブジェクト数算出部と、オブジェクト数算出部が算出した人物の数が多い順に部分画像の表示順序を決定する表示順序決定部とをさらに備え、画像合成部は、表示順序決定部が決定した表示順序に従って部分画像を順次選択して複数の合成画像を順次生成してもよい。また、画像取得部が取得した複数の画像のそれぞれは、画像の向きを特定する情報を含み、切り出し部は、横向きの画像から横長の部分画像を切り出し、縦向きの画像から縦長の部分画像を切り出し、画像合成部は、複数の横長の部分画像をまとめて合成して合成画像を生成し、複数の縦長の部分画像をまとめて合成して合成画像を生成してもよい。
【００１１】
また、本発明の第２の形態においては、表示装置において複数の画像を順次更新して表示する表示方法であって、複数の画像を高速で更新して表示する旨の指示を取得した場合に、表示すべき複数の画像を取得し、取得された複数の画像のそれぞれの一部の領域を部分画像として切り出し、切り出された複数の部分画像のうち一度に表示可能な数量の部分画像を並べて合成することによって合成画像を生成し、合成画像に含まれる複数の部分画像のうちの１つの部分画像を削除すると共に、合成画像に含まれていない次の部分画像を追加することによって次の合成画像を生成し、合成画像を指定された更新速度で順次更新して表示する。
【００１２】
また、本発明の第３の形態においては、複数の画像を順次更新して表示する表示装置用のプログラムであって、表示装置に、複数の画像を高速で更新して表示する旨の指示を取得した場合に、表示すべき複数の画像を取得する画像取得機能と、画像取得部によって取得された複数の画像のそれぞれの一部の領域を部分画像として切り出す切り出し機能と、切り出し部によって切り出された複数の部分画像のうち一度に表示可能な数量の部分画像を並べて合成することによって合成画像を生成し、合成画像に含まれる複数の部分画像のうちの１つの部分画像を削除すると共に、合成画像に含まれていない次の部分画像を追加することによって次の合成画像を生成する画像合成機能と、合成画像を指定された更新速度で順次更新して表示する表示機能とを実現させる。
【００１３】
また、本発明の第４の形態においては、複数の画像を順次更新して表示する表示装置であって、静止画および動画を含む複数の画像を高速で更新して表示する旨の指示を取得した場合に、表示すべき静止画および動画を取得する画像取得部と、画像取得部が取得した静止画および動画のうちの一度に表示可能な数量の静止画および動画のそれぞれを並べて表示する表示部と、表示部が表示している静止画および動画のうちの１つの静止画又は動画に代えて、画像取得部が取得した静止画又は動画のうちで未だ表示部に表示されていない静止画又は動画を表示部に表示させる表示制御部と、ユーザから指定された更新速度で、表示部が表示する静止画又は動画を順次更新して表示させる更新制御部とを備える。
【００１４】
また、画像取得部が取得した動画のうちで、当該動画の特徴的な部分期間の動画である部分期間動画を抽出する部分期間動画抽出部をさらに備え、表示部は、画像取得部が取得した静止画と、部分期間動画抽出部が抽出した部分期間動画とを並べて表示し、更新制御部は、部分期間動画抽出部が抽出した部分期間動画が表示されている間に、ユーザから指定された更新速度で表示部が表示する静止画を順次更新して表示してもよい。更に、画像取得部が取得した動画の主要被写体を特定する主要被写体特定部をさらに備え、部分期間動画抽出部は、主要被写体特定部が特定した主要被写体が写り込んでいる部分を含む部分期間動画を抽出してもよい。
【００１５】
そして、部分期間動画抽出部は、画像取得部が取得した動画のうちで、当該動画に付帯された音声の音量が予め定められた所定値より大きい部分を含む部分期間動画を抽出してもよい。また、更新制御部は、画像取得部が取得した動画が表示されている間に、ユーザから指定された更新速度で表示部が表示する静止画を順次更新して表示してもよい。更に、画像取得部が取得した静止画の一部の領域を部分静止画として切り出す静止画切り出し部と、画像取得部が取得した動画に含まれる複数の動画構成画像のそれぞれの一部の領域を切り出して部分動画を生成する部分動画生成部とをさらに備え、表示部は、静止画切り出し部が切り出した部分静止画と、部分動画生成部が生成した部分動画のそれぞれとを並べて表示してもよい。
【００１６】
また、画像取得部が取得した動画の主要被写体を特定する主要被写体特定部をさらに備え、部分動画生成部は、主要被写体特定部が特定した主要被写体を含むように、画像取得部が取得した動画に含まれる複数の動画構成画像のそれぞれの一部の領域を切り出して、主要被写体特定部が特定した主要被写体を追跡した部分動画を生成してもよく、表示部が同時に複数の動画を表示している場合に、当該複数の動画のそれぞれに付帯された複数の音声のそれぞれを、複数の動画のそれぞれが表示されている位置に対応する方向からそれぞれ出力する複数の音声出力部をさらに備えてもよい。
【００１７】
また、本発明の第５の形態においては、表示装置において複数の画像を順次更新して表示する表示方法であって、静止画および動画を含む複数の画像を高速で更新して表示する旨の指示を取得した場合に、表示すべき静止画および動画を取得し、取得された静止画および動画のうちの一度に表示可能な数量の静止画および動画のそれぞれを並べて表示し、表示されている静止画および動画のうちの１つの静止画又は動画に代えて、取得された静止画又は動画のうちで未だ表示されていない静止画又は動画を表示させ、ユーザから指定された更新速度で、表示される静止画又は動画を順次更新して表示させる。
【００１８】
また、本発明の第６の形態においては、複数の画像を順次更新して表示する表示装置用のプログラムであって、表示装置に、静止画および動画を含む複数の画像を高速で更新して表示する旨の指示を取得した場合に、表示すべき静止画および動画を取得する画像取得機能と、画像取得部によって取得された静止画および動画のうちの一度に表示可能な数量の静止画および動画のそれぞれを並べて表示する表示機能と、表示部に表示されている静止画および動画のうちの１つの静止画又は動画に代えて、画像取得部により取得された静止画又は動画のうちで未だ表示部に表示されていない静止画又は動画を表示部に表示させる表示制御機能と、ユーザから指定された更新速度で、表示部により表示される静止画又は動画を順次更新して表示させる更新制御機能とを実現させる。
【００１９】
なお、上記の発明の概要は、本発明の必要な特徴の全てを列挙したものではなく、これらの特徴群のサブコンビネーションもまた、発明となりうる。
【発明の効果】
【００２０】
本発明によれば、高い視認性を確保しつつ、大量の画像を短時間で素早く表示する表示装置を提供することができ、ユーザは大量の画像から所望の画像を素早く探し出すことができる。
【発明を実施するための最良の形態】
【００２１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２２】
図１は、表示装置の第１実施例である携帯型の表示装置１００を示す。表示装置１００は、薄型の直方体である筐体の表面に、表示部１１０、並びに指示取得部１４０ａおよび指示取得部１４０ｂ（以下指示取得部１４０と総称）を備える。表示装置１００は、利用者が、複数の画像から特定の画像を探すときに、複数の画像を順次更新して表示する。表示装置１００は、指示取得部１４０ａおよび指示取得部１４０ｂのいずれに利用者が接触したかを判断する。そして、判断結果に基づいて、画像の表示順序を、順方向および逆方向のいずれかに定める。従って、利用者は、画像を、順方向および逆方向のいずれにも更新することができる。
【００２３】
また、指示取得部１４０ａおよび１４０ｂは、それぞれ静電パッドなどの面状の接触部を有する。接触部の形状は、例えば一方向に長い。利用者は、指示取得部１４０ａおよび１４０ｂ内の接触する位置によって、更新速度を入力する。利用者が接触部に接触すると、表示装置１００は、接触部内における利用者の接触位置を検出する。そして、検出した接触位置に基づいて、画像の更新速度を判断する。なお、表示装置１００は、接触位置の移動速度又は移動時の加速度に基づいて、画像の更新速度を判断してもよい。なお、画像は、静止画および動画のいずれであってもよい。また、動画は複数の画像から構成されていてよく、動画に含まれる複数の画像は、フレーム画像、フィールド画像、およびその他の動画を構成する様々な形式の画像のいずれを含んでいてもよい。
【００２４】
本実施形態に係る表示装置１００は、高い視認性を確保しつつ、大量の画像を短時間で素早く表示することができ、ユーザが大量の画像から所望の画像を素早く探し出すことができることを目的とする。
【００２５】
図２は、表示装置１００の機能構成の第１実施例を示す。複数の頁を有する書籍を速い速度でめくるとき、残像現象により、人は、前後する複数の頁を重ね合わせた状態で見る。しかし、ある頁が現れた瞬間に瞬きをすると、その頁が目に映らない。また、残像も残らない。従って、人は、瞬きをした瞬間に現れた頁を確認することはできない。
【００２６】
そこで、瞬きをした瞬間に現れた頁を利用者が確認できることが要求される。この目的を達成することを目的として、表示装置１００は、一の画像と、この次に表示すべき次画像を重ね合わせて表示する。また、一の画像の次画像に対する濃度比率を低くしつつ表示を更新する。
【００２７】
表示装置１００は、表示部１１０および指示取得部１４０の他に、画像保持部１２０、画像取得部１６０、濃度比率更新部１８０、および画像合成部２００を備える。画像保持部１２０は、複数の画像を有する画像群を予め保持する。画像群は、例えば電子書籍および電子アルバムである。この場合、画像は書籍の一頁や電子写真であってよい。また、画像は、文字データを含む場合、表示される文字の大きさを示す文字サイズ情報を含む。更に、画像群は、動画を構成する複数の画像であってよい。係る場合には、画像は、フレーム画像、フィールド画像、およびその他の動画を構成する様々な形式の画像であってよい。画像取得部１６０は、画像保持部１２０から画像群を読み出す。
【００２８】
濃度比率更新部１８０は、合成画像における、一の画像の次画像に対する濃度比率を、時間が経過するにつれて小さくなるように更新する。画像合成部２００は、濃度比率更新部１８０が算出した濃度比率に基づいて、一の画像と次画像を合成した合成画像を生成する。そして、表示部１１０は、合成画像を表示する。このため、表示装置１００は、一の画像を、次画像に重ね合わせた状態で暫く表示する。従って、利用者は、瞬きをしても全ての頁を確認することができる。
【００２９】
記録媒体５００は、上述の指示取得部１４０、画像保持部１２０、画像取得部１６０、濃度比率更新部１８０、画像合成部２００、および表示部１１０の動作を表示装置１００に実現させるプログラムを格納する。記録媒体５００は、インターネットなどのネットワークを介して表示装置１００に接続されていてもよい。表示装置１００は、このようなプログラムをネットワーク経由でインストールして実行してもよい。
【００３０】
図３は、図２に示した表示装置１００の動作を示すフローチャートを示す。利用者は、表示装置１００に画像群を更新しつつ表示させることを目的として、指示取得部１４０に接触する。このとき、指示取得部１４０は、画像群を構成する画像を順次表示すべき旨の指示が入力されたと判断する（Ｓ１００）。画像取得部１６０は、画像群を、画像保持部１２０から取得する（Ｓ２００）。また、濃度比率更新部１８０は、濃度比率を算出する（Ｓ３００）。画像合成部２００は、算出された濃度比率に従って一の画像および次画像を合成して、合成画像を生成する（Ｓ４００）。表示部１１０は、生成した合成画像を表示する（Ｓ５００）。
【００３１】
表示装置１００は、Ｓ３００〜Ｓ５００までの動作を、画像を更新する旨の入力がなくなるまで繰り返して、複数の画像を順次表示する（Ｓ６００）。そして、更新する旨の入力がなくたったときに表示していた画像を、そのまま表示する（Ｓ７００）。
【００３２】
以上の通り、表示装置１００は、一の画像を、次画像に重ね合わせた状態で暫く表示する。従って、利用者は、瞬きをしても全ての頁を確認することができる。
【００３３】
なお、Ｓ３００〜Ｓ５００の繰り返し周期、すなわち画像の更新間隔は、好ましくは０．１秒以下である。
【００３４】
図４は、図３のＳ３００の詳細、すなわち濃度比率更新部１８０の動作の詳細を示すフローチャートを示す。利用者が画像の更新方向を切り換えたとき、その直前に、利用者が内容を確認したいと考える画像が表示されている可能性が高い。そこで、濃度比率更新部１８０は、画像の更新方向の指示が切り替わったとき、画像の更新速度を小さくする。
【００３５】
すなわち、濃度比率更新部１８０は、利用者が、指示取得部１４０ａおよび指示取得部１４０ｂのいずれに接触したかを判断する。そして、判断結果に基づいて画像の表示順序の方向を判断する。また、指示取得部１４０の接触部内における利用者の接触位置に基づいて、画像の更新速度を判断して、設定する。（Ｓ３１０）。また、画像の更新方向を切り換える旨の入力が指示取得部１４０に対して行われた場合（Ｓ３２０）、濃度比率更新部１８０は、画像の更新速度を小さくする（Ｓ３３０）。
【００３６】
ここで、濃度比率更新部１８０による画像の更新速度の変更方法について説明する。
【００３７】
濃度比率更新部１８０が、次画像の表示を開始してからの経過時間に対する濃度比率の変更量を大きくすると、濃度比率が０になるまでの時間は短くなる。係る場合においては、画像の更新速度は速くなる。逆に、濃度比率更新部１８０が濃度比率の変更量を小さくすると、濃度比率が０になるまでに要される時間は長くなる。係る場合においては、画像の更新速度は遅くなる。
【００３８】
従って、濃度比率更新部１８０は、次画像の表示を開始してからの経過時間に対する濃度比率の変更量を変更することで、画像の更新速度を変更することができる。
【００３９】
そして、濃度比率更新部１８０は、次画像を表示してからの経過時間を取得する（Ｓ３４０）。そして、次画像を表示してからの時間および画像の更新速度を用いて、濃度比率を更新する（Ｓ３５０）。このように、濃度比率更新部１８０は、画像の更新方向の指示が切り替わったとき、画像の更新速度を小さくする。したがって、利用者は、内容を確認したい画像を探しやすくなる。
【００４０】
図５は、図３のＳ４００の詳細、すなわち画像合成部２００の動作の詳細を示すフローチャートを示す。書籍等における見出しやタイトルなど、情報の属性を示す情報は、他の文字データと比べて文字サイズが大きい。人は、書籍等を速い速度でめくる場合、見出しなどを重点的に見て目的とする頁を探す。そこで、画像合成部２００は、見出し等を確認させやすくすることを目的として、以下のように動作する。すなわち、一の画像および次画像の少なくとも一方に文字データが含まれる場合（Ｓ４１０）、文字データの文字サイズ情報を取得する（Ｓ４２０）。
【００４１】
そして、指示取得部１４０の接触部内における利用者の接触位置に基づいて、画像の更新速度を判断する（Ｓ４３０）。そして、文字サイズ情報および更新速度に基づいて、合成画像内における、文字データの濃度比率を算出する（Ｓ４４０）。すなわち、画像合成部２００は、相対的に大きな文字を、相対的に小さな文字に比べて濃くする。なお、画像合成部２００は、基準値より小さい文字を表示しなくてもよい。
【００４２】
そして、画像合成部２００は、一の画像の次画像に対する濃度比率、および文字の濃度比率に基づいて、一の画像と次画像を合成して、合成画像を生成する（Ｓ４５０）。そして、一の画像の次画像に対する濃度比率が０である場合（Ｓ４６０）、画像合成部２００は、次画像を新たな一の画像として、次画像の次に表示すべき画像を、新たな次画像とする（Ｓ４７０）。
【００４３】
以上の通り、画像合成部２００は、相対的に大きな文字を、相対的に小さな文字に比べて濃くする。従って、利用者は、見出し等を重点的に確認することができる。なお、Ｓ４７０において、画像合成部２００は、一の画像の次画像に対する濃度比率が０になってから、一の画像および次画像を更新するまでの時間を変更することで、画像の更新間隔を変更することができる。
【００４４】
図６は、図３のＳ５００の詳細、すなわち表示部１１０の動作の詳細を示すフローチャートを示す。書籍等をめくる場合、めくる方向によって、一頁内における、最初に見え始める部分が異なる。そこで、表示部１１０は、以下の通り動作する。
【００４５】
表示部１１０は、指示取得部１４０の接触部内における利用者の接触位置に基づいて、画像の更新速度を判断する（Ｓ５１０）。そして、判断した更新速度に基づいて、合成画像を表示するときのコントラストを決定する（Ｓ５２０）。表示部１１０は、更新速度が速いとき、相対的に遅い場合と比べてコントラストを大きくする。このため、更新速度が速い場合でも、利用者は、表示部１１０に表示された画像を確認しやすい。
【００４６】
そして、表示部１１０は、利用者が指示取得部１４０に入力した更新方向を判断する（Ｓ５３０）と、更新方向の判断結果に基づいて、合成画像内の表示順序を決定する（Ｓ５４０）。表示部１１０は、例えば更新方向が順方向の時における表示順序を、更新方向が逆方向の時における表示順序に対して反転させる。例えば、画像群が右綴じの書籍を想定している場合、表示部１１０は、更新方向が順方向のときに左側から順に合成画像を表示する。また、更新方向が逆方向となった場合には、右側から順に合成画像を表示する。そして、決定したコントラスト、および表示順序に従って合成画像を表示する（Ｓ５５０）。従って、利用者は、表示装置１００で画像を確認するとき、画像の更新方向、すなわち書籍におけるめくる方向を認識することができる。
【００４７】
図７は、表示装置１００がネットワーク経由で画像を取得する構成を示す。本実施例の表示装置１００は、無線通信機能を備えており、中継局２０を介して通信網１０に接続する。そして、通信網１０および中継局２０を介して、外部に設けられた画像保持部１２０から、画像群を無線で受信して、表示する。本実施例にかかる表示装置１００によれば、外部から受信した画像群を表示するときに、一の画像を、次画像に重ね合わせた状態で暫く表示する。従って、利用者は、瞬きをしても全ての頁の情報を確認することができる。
【００４８】
図８は、本発明の表示装置１００における他の実施例である表示装置１０１を示す。表示装置１０１における表示部１１０は、利用者の視線の方向に基づいて、合成画像の濃度分布を変更する。詳細には、合成画像のうち、例えば利用者が見ている部分だけを表示する。この場合、合成画像を表示するときに表示装置１０１にかかる演算負荷は小さくなる。
【００４９】
また、表示装置１０１は、利用者の視線の方向を検出することを目的として、表面に、利用者を撮像する撮像装置３００ａおよび３００ｂを有する。また、撮像装置３００ａおよび３００ｂが撮像した画像データを解析して、利用者の視線の方向を検出する視線検出部を有する。他の機能は、実施形態にかかる表示装置１００と同じであるので、説明を省略する。
【００５０】
撮像装置３００ａおよび３００ｂは、表示装置１００を見ている利用者を、定期的且つ同時に撮像して、画像データを生成する。視線検出部は、撮像装置３００ａおよび３００ｂが生成した画像データを解析して、利用者の視線を算出する。詳細には、画像データに含まれる利用者の顔の向きを算出する。また、利用者の目の位置を算出する。そして、目の位置および顔の向きに基づいて、視線を算出する。
【００５１】
なお、表示装置１０１における表示部１１０は、利用者が見ている領域を、他の部分と比べて濃く表示してもよい。また、利用者が見ている領域は細部まで表示して、他の領域は細部を表示しない構成としてもよい。
【００５２】
図９は、表示装置１００の機能構成の第２実施例を示す。本実施例の表示装置１００は切り出し部１９０を有する点で図２に示した第１実施例と異なる。本実施例の指示取得部１４０は、複数の画像を高速で更新して表示する旨の指示を入力する。画像取得部１６０は、複数の画像を高速で更新して表示する旨の指示を取得した場合に、表示すべき複数の画像を画像保持部１２０から取得する。なお、本実施例においても、画像は、静止画および動画のいずれであってもよい。そして、動画を構成する複数の画像は、フレーム画像、フィールド画像、およびその他の動画を構成する様々な形式の画像のいずれを含んでいてもよい。
【００５３】
切り出し部１９０は、画像取得部１６０によって取得された複数の画像のそれぞれの一部の領域を部分画像として切り出す。たとえば、本実施例の画像のそれぞれは、主要被写体の位置を特定する情報をタグ情報として含む。そして切り出し部１９０は、各画像のタグ情報から主要被写体の位置を読み出して、当該主要被写体を左右方向の中心として一定の幅、例えば元の画像の１／４の幅で部分画像を切り出す。主要被写体の位置を示すタグ情報が画像に書き込まれていない場合、切り出し部１９０は、画像に含まれる被写体のうちで最も大きく写っている被写体、又は最も焦点が合っている被写体を主要被写体と認識してもよい。そして、当該認識した主要被写体を中心に部分画像を切り出してもよい。この場合、切り出し部１９０は、人物を優先的に主要被写体として認識してもよい。あるいは、切り出し部１９０は、主要被写体の位置によらず各画像の左右方向の中心から一定の幅を部分画像として切り出してもよい。
【００５４】
本実施例の画像合成部２００は、切り出し部１９０によって切り出された複数の部分画像のうち表示部１１０に一度に表示可能な数の部分画像を、画像の表示順序に従って並べて合成することによって合成画像を生成する。生成した合成画像が表示部１１０に表示され、さらに次の合成画像を更新表示する指示が入力されると、画像合成部２００は、以下の手順で次の合成画像を生成する。すなわち、前回生成した合成画像に含まれる複数の部分画像のうち表示順序が最も先の部分画像を削除して、合成画像に含まれていない次の部分画像を追加することによって次の合成画像を生成する。表示部１１０は、指示取得部１４０によって指定された更新速度で、合成画像を順次更新して表示する。
【００５５】
記録媒体５００は、上述の指示取得部１４０、画像保持部１２０、画像取得部１６０、切り出し部１９０、画像合成部２００、および表示部１１０の動作を表示装置１００に実現させるプログラムを格納する。記録媒体５００は、インターネットなどのネットワークを介して表示装置１００に接続されていてもよい。表示装置１００は、このようなプログラムをネットワーク経由でインストールして実行してもよい。
【００５６】
本実施例の表示装置１００によれば、複数の画像のそれぞれを縮小してサムネイル画像を生成して、当該サムネイル画像を表示部１１０に表示できる数だけ並べて表示する場合よりも被写体の倍率を大きく表示することができる。従って、ユーザは、複数の画像を高速に更新して表示する場合に、各画像の特徴を素早く、しかも確実に認識することができる。
【００５７】
図１０、図１１、図１２、および図１３は、それぞれ切り出し部１９０が部分画像を切り出す例を示す。本実施例の画像のそれぞれは、主要被写体の位置を特定する情報をタグ情報として含む。そして切り出し部１９０は、各画像のタグ情報から主要被写体の位置を読み出して、当該主要被写体の位置を中心に部分画像を切り出す。たとえば切り出し部１９０は、００１．ｊｐｇ、００２．ｊｐｇ、００３．ｊｐｇ、および００４．ｊｐｇに示す各画像のタグ情報から主要被写体の位置読み出して、当該主要被写体の位置を左右方向の中心として画像の１／４の幅を部分画像として切り出す。切り出した部分画像は、たとえば００１−１．ｊｐｇ、００２−１．ｊｐｇ、００３−１．ｊｐｇ、および００４−１．ｊｐｇに示す短冊状の画像データとなる。
【００５８】
図１４は、画像合成部２００が複数の部分画像から生成した合成画像の例を示す。画像合成部２００は、切り出し部１９０によって切り出された複数の部分画像のうち表示部１１０に一度に表示可能な数の部分画像を画像の表示順序に従って並べて合成することによって、合成画像を生成する。たとえば、本実施例の表示部１１０は、画像の１／４の幅を切り出した部分画像を最大４枚横に並べて表示できるとする。画像合成部２００は、表示部１１０に表示可能な４枚の部分画像（００１−１．ｊｐｇ、００２−１．ｊｐｇ、００３−１．ｊｐｇ、および００４−１．ｊｐｇ）を元の画像の表示順序に従って、例えば、左から右へ順に合成して合成画像を生成する。
【００５９】
図１５および図１６は、画像合成部２００が合成画像を更新する例を示す。画像合成部２００は、合成画像に含まれる複数の部分画像のうち表示順序が最も先の部分画像を削除すると共に、合成画像に含まれていない次の部分画像を追加することによって次の合成画像を生成する。たとえば、画像合成部２００は、図１４に示した合成画像に含まれる４枚の部分画像のうち表示順序が最も先の部分画像である００１−１．ｊｐｇを削除する。そして、合成画像に含まれていない次の部分画像である００５−１．ｊｐｇを追加することによって次の合成画像を生成する。
【００６０】
次の合成画像を生成する場合、画像合成部２００は、図１５に示すように、直前に削除した部分画像（００１−１）の表示位置に次の部分画像（００５−１）を追加してもよい。更に、図１６に示すように、それまでの合成画像に含まれる最後の部分画像（００４−１）に続けて次の部分画像（００５−１）を追加してもよい。
【００６１】
図１７は、更新速度が閾値を越えた場合の合成画像の一例である。指示取得部１４０によって指定された更新速度が所定の閾値を越えた場合、切り出し部１９０は、部分画像の大きさを縮小すると共に、画像合成部２００は合成画像に含まれる部分画像の数を増やす。例えば、指示取得部１４０によって段階的に指定される更新速度が第１のしきい値（以下、しきい値１）を越えた場合、切り出し部１９０は、画像から切り出す部分画像の幅をそれまでの半分に縮小する。すなわち、切り出し部１９０は、更新速度がしきい値１を越えた場合に部分画像の幅を元の画像の幅の１／８に変更する。部分画像の幅の縮小に伴い、表示部１１０に一度に表示可能な部分画像の数が増える。従って、画像合成部２００は、より多くの数の部分画像を元の画像の表示順序に従って並べて合成することにより合成画像を生成する。これにより、表示部１１０は、より多くの部分画像を一度に表示することができる。従って、ユーザは大量の画像から目的とする画像をより素早く見つけだすことができる。
【００６２】
図１８は、更新速度が閾値を越えた場合の合成画像の他の例である。指示取得部１４０によって指定された更新速度が所定の閾値を越えた場合、画像合成部２００は複数の部分画像を一定の規則で間引いて合成画像を生成する。例えば、上述のしきい値１よりも更新速度が大きいしきい値２を越えた場合、画像合成部２００は、切り出し部１９０が切り出した部分画像を一つおきに間引いて合成画像を生成する。本図の例では、図１７の例で表示されていた００２−２、００４−２、００６−２、００８−２が間引かれ、新たに００９−２、０１１−２、０１５−２の部分画像が追加されている。間引きの規則は、任意に設定すればよい。また、更新速度が大きくなるほど、より多くの画像を間引いてもよい。部分画像を間引いて合成画像を生成することにより、より高速に多くの画像を検索することができる。
【００６３】
図１９は、本実施例の表示装置１００の動作を示すフローチャートを示す。表示装置１００は、以下のフローチャートに従って動作することにより、多くの画像の部分画像を高速に更新して表示する。まず、指示取得部１４０は、ユーザから複数の画像を高速に更新して表示する旨の指示を取得する（Ｓ８００）。画像取得部１６０は、例えばフォルダの指定や撮影時期の指定などの条件に基づいて、高速で更新して表示するべき複数の画像を特定して、当該画像を画像保持部１２０から取得する（Ｓ８０２）。
【００６４】
切り出し部１９０は、指示取得部１４０に入力された更新速度がしきい値１を越えているか否かを判断する（Ｓ８０４）。入力された更新速度がしきい値１を越えていない場合（Ｓ８０４：Ｎ）、切り出し部１９０は、部分画像の切り出しサイズを標準サイズ、例えば元の表示画像の幅の１／４として設定する（Ｓ８０６）。一方、入力された更新速度がしきい値１を越えている場合（Ｓ８０４：Ｙ）、切り出し部１９０は、部分画像の切り出しサイズを縮小サイズ、例えば元の表示画像の幅の１／８として設定する（Ｓ８０８）。切り出し部１９０は、各画像のタグ情報を読み出す。そして当該タグ情報に主要被写体の位置が書き込まれている場合、当該主要被写体の位置を左右方向の中心として、ステップ８０６又はステップ８０８で設定された幅で部分画像を切り出す（Ｓ８１０）。切り出し部１９０は、タグ情報に主要被写体の位置が書き込まれていない場合、画像の中心部分を上記の設定された幅で切り出す。
【００６５】
次に、画像合成部２００は、指示取得部１４０に入力された更新速度がしきい値２を越えているか否かを判断する（Ｓ８１２）。入力された更新速度がしきい値２を越えている場合（Ｓ８１２：Ｙ）、画像合成部２００は、切り出し部１９０が切り出した部分画像を間引く（Ｓ８１４）。一方、入力された更新速度がしきい値２を越えていない場合（Ｓ８１２：Ｎ）、ステップ８１４の処理をスキップする。
【００６６】
次に、画像合成部２００は、複数の部分画像のうち表示部１１０に一度に表示可能な数の部分画像を、画像の表示順序に従って並べて合成することによって合成画像を生成する（Ｓ８１６）。表示部１１０は、画像を高速に更新して表示する場合に表示の輝度およびコントラストの少なくとも一方を上げて（Ｓ８１７）、合成画像を表示する（Ｓ８１８）。表示の輝度およびコントラストの少なくとも一方を上げることにより、画像を高速に更新して表示する場合の視認性が向上する。
【００６７】
次に、画像合成部２００は、指示取得部１４０から画像の更新表示を継続する旨の指示が入力されているか否かを判断する（Ｓ８２０）。更新表示を継続する旨の指示が入力されている場合（Ｓ８２０：Ｙ）、さらに更新速度が変更されたか否かを判断する（Ｓ８２２）。更新速度が変更されたと判断した場合、ステップ８０４に戻る。一方、更新速度が変更されていない場合、画像合成部２００は、それまで表示していた合成画像に含まれる複数の部分画像のうち表示順序が最も先の部分画像を削除すると共に（Ｓ８２４）、合成画像に含まれていない次の部分画像を追加することによって（Ｓ８２６）、次の合成画像を生成する。そして、ステップ８１８に戻り、指定された更新速度で次の合成画像を更新表示する。
【００６８】
一方、ステップ８２０において、更新表示を継続する旨の指示が入力されていない場合（Ｓ８２０：Ｎ）、表示部１１０は画像の更新を停止する（Ｓ８２８）。合成画像の更新を停止した時点で表示部１１０に表示されている複数の部分画像から一の部分画像が選択されると（Ｓ８３０：Ｙ）、表示部１１０は当該選択された部分画像の元の画像を取得して、当該画像の全体を表示する（Ｓ８３２）。以上で本フローを終了する。
【００６９】
以上の説明から明らかなように、本実施形態によれば、高い視認性を確保しつつ、大量の画像を短時間で素早く表示する表示装置を提供することができる。従って、ユーザは大量の画像から所望の画像を素早く探し出すことができる。
【００７０】
図２０は、表示装置１００の機能構成の第３実施例を示す。表示装置１００は、画像保持部１２０、指示取得部１４０、画像取得部１６０、連写画像選択部１６５、切り出し部１９０、周波数成分算出部１３０、オブジェクト数算出部１３２、表示順序決定部１３４、更新速度決定部１５０、画像合成部２００、および表示部１１０を備える。ここで、画像保持部１２０、指示取得部１４０、画像取得部１６０、切り出し部１９０、画像合成部２００、及び表示部１１０については、図１から図１９での上記説明において、同一符号で説明した各構成部分と略同一の機能を有するので、詳細な説明については省略する。なお、本実施形態に係る表示装置１００は、図１から図１９での上記で説明した表示装置１００の一例であってよい。そして、本実施形態に係る表示装置１００は、図１から図１９の上記記載で説明した表示装置１００の構成、および機能の一部または全部を更に備えてもよい。
【００７１】
指示取得部１４０は、複数の画像を高速で更新して表示する旨の指示を入力する。指示取得部１４０は、入力された指示についての情報を画像取得部１６０、切り出し部１９０、画像合成部２００、および表示部１１０に供給する。画像取得部１６０は、複数の画像を高速で更新して表示する旨の指示を指示取得部１４０から取得した場合に、表示すべき複数の画像を画像保持部１２０から取得する。画像取得部１６０は、画像保持部１２０から取得した画像を、切り出し部１９０および連写画像選択部１６５に供給する。なお、画像は静止画および動画のいずれであってもよい。また、動画を構成する複数の画像は、フレーム画像、フィールド画像、およびその他の動画を構成する様々な形式の画像であってよい。
【００７２】
連写画像選択部１６５は、画像取得部１６０において取得された複数の画像のうちで、連写撮像によって撮像された複数の画像を選択する。連写画像選択部１６５は、画像取得部１６０から取得した複数の画像のそれぞれに含まれる、複数の画像が撮像されたそれぞれの撮像時刻に基づいて、複数の画像が連写撮像によって撮像されたか否かを判断してよい。例えば、連写画像選択部１６５は、撮像された複数の画像のそれぞれに含まれる撮像時刻の情報を解析する。そして、連写画像選択部１６５は、複数の画像が撮像されたそれぞれの撮像時刻が、所定の時間間隔に含まれる場合に、当該複数の画像が連写撮像によって撮像されたと判断する。
【００７３】
また、連写画像選択部１６５は、画像を撮像した撮像装置を一意に識別できる撮像装置ＩＤおよび当該画像が撮像された撮像時刻に基づいて、複数の画像が連写撮像されたか否かを判断してもよい。例えば、所定の時間間隔において異なる撮像装置において複数の画像が撮像され、それらの撮像された複数の画像が画像保持部１２０に保持されていた場合を考える。係る場合には、複数の画像のそれぞれに含まれる撮像時刻を示す情報だけでは、複数の画像が連写撮像されたか否かを的確に判断することはできない。すなわち、複数の画像の撮像時刻が近接している場合であっても、同一の撮像装置で当該複数の画像が撮像されたとは限らない場合がある。しかしながら、連写画像選択部１６５は、複数の画像を撮像した撮像装置ＩＤおよび複数の画像が撮像されたそれぞれの撮像時刻の情報に基づいて、複数の画像が連写撮像されたか否かを判断できる。これにより、連写画像選択部１６５は、画像保持部１２０が異なる撮像装置で撮像された画像を保持している場合においても、複数の画像が連射撮像されたか否かを的確に判断して、連写撮像された複数の画像を選択できる。
【００７４】
更に、連写画像選択部１６５は、複数の画像から算出された画像の類似度に基づいて、複数の画像が連写撮像されたか否かを判断してもよい。すなわち、連写画像選択部１６５は、複数の画像のそれぞれをマッチング等の画像処理により、複数の画像それぞれの類似度を算出する。そして、連写画像選択部１６５は、算出された画像の類似度が予め定められた基準値よりも大きい複数の画像を、連写撮像された複数の画像であると判断してよい。連写画像選択部１６５は、選択した複数の画像を切り出し部１９０に供給する。
【００７５】
切り出し部１９０は、画像取得部１６０から受け取った複数の画像および連写画像選択部１６５から受け取った複数の画像のそれぞれの一部の領域を部分画像として切り出す。なお、切り出し部１９０は、部分画像のそれぞれを一意に識別できる識別子を、切り出された部分画像に付与してよい。切り出し部１９０は、画像取得部１６０において取得された１つの画像が複数の主要被写体の位置を特定する情報を含む場合、１つの画像から複数の主要被写体をそれぞれ含むように複数の部分画像をそれぞれ切り出す。例えば、切り出し部１９０は、各画像のタグ情報から複数の主要被写体の位置を読み出す。そして、切り出し部１９０は、当該複数の主要被写体を左右方向の中心として、または上下方向の中心として所定の幅で部分画像を切り出す。これにより、切り出し部１９０は、１つの画像に複数の主要被写体が含まれていた場合に、各主要被写体を含んだ部分画像を切り出すことができる。
【００７６】
また、切り出し部１９０は、画像取得部１６０から取得した複数の画像のそれぞれに含まれる、画像の向きを特定する情報、すなわち、画像向き特定情報を読み出す。画像向き特定情報は、例えば、ランドスケープモードおよびポートレートモード等の情報であってよい。切り出し部１９０は、画像取得部１６０から取得した複数の画像のそれぞれに含まれる画像向き特定情報として、ランドスケープモードの情報を読み取った場合には、横向きの画像から横長の部分画像を切り出す。一方、切り出し部１９０が、画像取得部１６０から取得した複数の画像のそれぞれに含まれる画像向き特定情報として、ポートレートモードの情報を読み取った場合には、縦向きの画像から縦長の部分画像を切り出す。切り出し部１９０は、切り出した部分画像を周波数成分算出部１３０、オブジェクト数算出部１３２、および画像合成部２００に供給する。また、切り出し部１９０は、連写画像選択部１６５において選択された複数の画像から切り出し部１９０において切り出された複数の部分画像を、画像合成部２００に供給する。
【００７７】
周波数成分算出部１３０は、切り出し部１９０において切り出された複数の画像を受け取り、当該複数の画像のそれぞれに含まれる周波数成分を算出する。周波数成分算出部１３０は、算出した各画像の周波数成分の情報を、更新速度決定部１５０に供給する。オブジェクト数算出部１３２は、切り出し部１９０において切り出された複数の部分画像のそれぞれに含まれるオブジェクトの数を算出する。また、オブジェクト数算出部１３２は、切り出し部１９０において切り出された複数の部分画像のそれぞれに含まれる人物の数を算出してもよい。オブジェクト数算出部１３２は、例えば、テンプレートマッチングおよび肌色抽出等の画像処理により人物を抽出して、複数の部分画像のそれぞれに含まれる人物の数を算出する。オブジェクト数算出部１３２は、算出したオブジェクトの数を表示順序決定部１３４に供給する。
【００７８】
表示順序決定部１３４は、オブジェクト数算出部１３２において算出された人物の数が多い順に、部分画像の表示順序を決定する。表示順序決定部１３４は、決定した部分画像の表示順序を、更新速度決定部１５０に供給する。
【００７９】
更新速度決定部１５０は、切り出し部１９０において切り出された複数の部分画像の内容に応じて、部分画像の更新速度を決定する。更新速度決定部１５０は、周波数成分算出部１３０から受け取った、周波数成分算出部１３０において算出された周波数成分において、所定周波数以上の高周波成分のレベルが大きい部分画像の更新速度をより遅く決定する。また、更新速度決定部１５０は、オブジェクト数算出部１３２において算出されたオブジェクトの数がより多い部分画像の更新速度を、より遅く決定してもよい。更に、更新速度決定部１５０は、オブジェクト数算出部１３２において算出された人物の数がより多い部分画像の更新速度を、より遅く決定してもよい。これにより、人の目では素早く内容を把握することが困難な部分画像については、その更新速度を遅く決定することができるので、ユーザは画像の内容を把握しやすくなる。一方、人の目で素早く内容を把握することが容易な部分画像については、更新速度決定部１５０は、更新速度を早くして表示することができるので、ユーザはより早く所望の部分画像を探すことができる。更新速度決定部１５０は、決定した部分画像の更新速度および表示順序決定部１３４において決定された部分画像の表示順序を画像合成部２００に供給する。
【００８０】
画像合成部２００は、切り出し部１９０によって切り出された複数の部分画像のうち、一度に表示可能な数量の部分画像を並べて合成することによって合成画像を生成する。そして、画像合成部２００は、生成された合成画像に含まれる複数の部分画像のうちの１つの部分画像を削除すると共に、合成画像に含まれていない次の部分画像を追加することによって、次の合成画像を生成する。また、画像合成部２００は、切り出し部１９０において、１つの画像から複数の主要被写体のそれぞれを含むように、複数の部分画像をそれぞれ切り出した場合には、切り出し部１９０において１つの画像から切り出された複数の部分画像のそれぞれを並べて合成することによって合成画像を生成してもよい。
【００８１】
そして、切り出し部１９０から連写画像選択部１６５において選択された複数の画像から切り出された複数の部分画像を受け取った場合には、画像合成部２００は、切り出された複数の部分画像のそれぞれが、同一の位置に時系列で連続して表示されるように、複数の合成画像のそれぞれを生成してもよい。そして、画像合成部２００は、連写画像選択部１６５において選択された第１の画像から切り出された部分画像を含む合成画像を生成して、連写画像選択部１６５において選択された第１の画像に含まれる部分画像を削除すると共に、連写画像選択部１６５において選択された第２の画像に含まれる部分画像を追加することによって次の合成画像を生成してもよい。
【００８２】
更に、画像合成部２００は、更新速度決定部１５０において決定された部分画像ごとの更新速度に基づいて、合成画像から削除する部分画像を決定して、次の部分画像を追加することによって次の合成画像を生成してもよい。例えば、画像合成部２００は、更新速度決定部１５０において部分画像の更新速度がより遅く決定された場合には、当該部分画像を合成画像に残したまま、当該部分画像を除く、他の部分画像を合成画像から削除して次の部分画像を追加する。
【００８３】
また、画像合成部２００は、表示順序決定部１３４において決定された表示順序に従って、部分画像を順次選択して複数の合成画像を順次生成してもよい。そして、画像合成部２００は、切り出し部１９０において、横向きの画像から横長の部分画像が切り出された場合には、複数の横長の部分画像をまとめて合成して合成画像を生成してもよい。また、画像合成部２００は、切り出し部１９０において、縦向きの画像から縦長の部分画像が切り出された場合には、複数の縦長の部分画像をまとめて合成して合成画像を生成してもよい。画像合成部２００は、合成した画像を表示部１１０に供給する。
【００８４】
表示部１１０は、画像合成部２００から受け取った合成画像を、指示取得部１４０において指定された更新速度で順次更新して表示する。また、表示部１１０は、連写画像選択部１６５において選択された複数の画像から切り出し部１９０において切り出された部分画像を、連写画像選択部１６５において選択されなかった複数の画像から切り出された部分画像より短い更新速度で更新して表示する。
【００８５】
また、表示部１１０は、更新速度決定部１５０において決定された部分画像ごとの更新速度で部分画像を更新して表示する。表示部１１０は、部分画像の周波数成分、オブジェクトの数、および人物の数に基づいて更新速度決定部１５０において決定された更新速度で部分画像を更新して表示する。すなわち、表示部１１０は、部分画像に多数のオブジェクトが含まれている場合および多数の人物が含まれている場合等の、人間の目が知覚しづらい部分画像の更新速度をより遅くして表示できる。これにより、人は、部分画像をより確実に認識することができる。
【００８６】
記録媒体５００は、上述の画像保持部１２０、指示取得部１４０、画像取得部１６０、連写画像選択部１６５、切り出し部１９０、周波数成分算出部１３０、オブジェクト数算出部１３２、表示順序決定部１３４、更新速度決定部１５０、画像合成部２００、および表示部１１０の動作を表示装置１００に実現させるプログラムを格納する。記録媒体５００は、インターネットなどのネットワークを介して表示装置１００に接続されていてもよい。表示装置１００は、このようなプログラムをネットワーク経由でインストールして実行してもよい。
【００８７】
本実施形態に係る表示装置１００によれば、１つの画像に複数の主要被写体が含まれている場合に、各主要被写体を切り出して、切り出された複数の部分画像から合成画像を生成できる。これにより、１つの画像に複数の主要被写体が含まれていた場合であっても、各主要被写体をより確実に認識できるので、ユーザは、観賞を欲する画像をより確実に選択することができる。
【００８８】
また、本実施形態に係る表示装置１００によれば、連写撮像によって撮像された複数の画像の部分画像から複数の合成画像を生成して、連写撮像によって撮像された画像の部分画像よりも速い更新速度で更新して表示できる。これにより、類似した撮像画像について表示部１１０の一部を専有される時間を短くできる。また、表示部１１０が連写撮像された複数の画像をより早く更新して表示することにより、人の目には、動画が表示されているように感じさせることもできるので、動画そのものを表示する場合に比べて、画像処理の負荷を低減できる。
【００８９】
更に、本実施形態に係る表示装置１００によれば、複数の部分画像の内容に応じて、部分画像の更新速度を決定できる。これにより、ユーザが視覚により知覚することが困難な部分画像、すなわちユーザにとって人の目による知覚によっては、内容の把握が困難な部分画像の表示時間をより長くすることができるので、ユーザは、より確実に部分画像の内容を把握することができる。すなわち、内容の把握が困難な画像であっても、ユーザは、その画像がユーザが観賞したいと考える画像であるか否かを、より確実に確認することができる。
【００９０】
そして、本実施形態に係る表示装置１００によれば、撮像された画像の向きに基づいて、合成画像を生成できる。これにより、部分画像の向きに適した合成画像を生成できるので、ユーザはより的確に、違和感を感じることなしに所望の撮像画像を選択することができる。
【００９１】
図２１は、画像合成部２００が複数の部分画像から生成した合成画像の例を示す。画像合成部２００は、切り出し部１９０によって切り出された複数の部分画像のうち表示部１１０に一度に表示可能な数の部分画像を並べて合成することによって、合成画像を生成する。そして、表示部１１０は、連写画像選択部１６５において選択された複数の画像から切り出された部分画像を、連写画像選択部１６５において選択されなかった複数の画像から切り出された部分画像より短い更新速度で更新して表示する。
【００９２】
例えば、本実施例の表示部１１０は、画像の１／４の幅を切り出した部分画像を最大４枚横に並べて表示できるとする。画像合成部２００は、表示部１１０に表示可能な４枚の部分画像（０２０−１）、部分画像（０２１-１）、部分画像（０２２-１）、および部分画像（０２４-１）を合成して合成画像６１０を生成する。そして、表示部１１０は、連写画像選択部１６５において選択された部分画像（０２１-１）の部分を、他の部分画像よりも速い更新速度で更新して表示する。
【００９３】
すなわち、連写画像選択部１６５において選択された画像から切り出された部分画像（０２１-１）、部分画像（０２１-２）、および部分画像（０２１-３）は、撮像された時系列の順にしたがって、合成画像６１０、合成画像６１２、および合成画像６１４の順に合成画像として生成される。一方、連写画像選択部１６５において選択されなかった画像から切り出された部分画像（０２０-１）、部分画像（０２２-１）、および部分画像（０２４-１）の更新速度は、連写画像選択部１６５において選択された画像から切り出された部分画像よりも遅く設定されている。例えば、連写画像選択部１６５において選択された画像から切り出された部分画像（０２１-１）が、部分画像（０２１-２）および部分画像（０２１-３）と更新されて、合成画像６１２および合成画像６１４が生成される場合を考える。係る場合においては、連写画像選択部１６５において選択されなかった画像から切り出された部分画像については、合成画像６１０から合成画像６１２に更新される間では更新されない。そして、合成画像６１２から合成画像６１４が生成される場合に、部分画像（０２０-１）が部分画像（０２６-１）に更新されるだけであるように、連写画像選択部１６５において選択されなかった画像の更新速度を、連写画像選択部１６５に選択された画像よりも遅く設定してよい。
【００９４】
本実施例に係る表示装置１００によれば、連写撮像された画像の部分画像を、連写撮像されていない画像の部分画像よりもより速い更新速度で更新して合成画像を生成できる。これにより、表示装置１００は、連写撮像された画像のうち、類似する部分画像が表示部１１０の同一の位置を専有し続けることを防止できると共に、人の目には動画が写っているように感じさせることができる。
【００９５】
図２２は、画像合成部２００が複数の部分画像から生成した合成画像の例を示す。画像合成部２００は、切り出し部１９０によって切り出された複数の部分画像のうち表示部１１０に一度に表示可能な数の部分画像を並べて合成することによって、合成画像を生成する。そして、更新速度決定部１５０は、部分画像の内容に応じて、部分画像の更新速度を決定する。続いて、表示部１１０は、更新速度決定部１５０において決定された部分画像の更新速度に基づいて、部分画像を更新して、合成画像を表示する。
【００９６】
例えば、部分画像（０２５-１）に複数の人物が含まれている、合成画像６２０を考える。部分画像（０２５-１）に複数の人物が含まれている場合には、ユーザが部分画像（０２５-１）の内容を適確に把握することができるように、部分画像（０２５-１）の更新速度は、被写体が１つしか含まれていない部分画像（０２０-１）、部分画像（０２２-１）、および部分画像（０２３-１）よりも遅く設定される。すなわち、時系列の順に沿って合成画像６２２および合成画像６２４が生成される場合には、部分画像（０２５-１）は所定の期間において更新せずに、部分画像（０２５-１）を除く部分画像（０２０-１）、部分画像（０２２-１）、および部分画像（０２３-１）を部分画像（０２５-１）よりも速い更新速度で更新する。例えば、合成画像６２０から合成画像６２２に更新する場合には、部分画像（０２０-１）を部分画像（０２４-１）に更新する。また、合成画像６２２から合成画像６２４に更新する場合には、部分画像（０２２-１）を部分画像（０２６−１）に更新する。すなわち、部分画像（０２５-１）を除く他の部分画像が、ユーザが素早く認識することが困難な部分画像でない場合には、部分画像の表示順序にしたがって、部分画像を更新して合成画像を生成してよい。なお、ユーザが素早く認識することが困難な画像とは、例えば、被写体が複数含まれる画像、人物が複数含まれる画像、および画像から算出された空間周波数成分が所定周波数以上の高周波成分のレベルがより大きな画像であってよい。
【００９７】
本実施例に係る表示装置１００によれば、人がすばやく認識することが困難な部分画像、例えば、オブジェクトを複数含む部分画像、人物を複数含む部分画像、および所定の周波数以上における高周波成分のレベルがより大きい部分画像が含まれる場合に、それらの人がすばやく認識することが困難な部分画像の更新速度を遅くすることができる。これにより、人は、より確実に撮像画像の内容を把握することができる。
【００９８】
図２３は、画像合成部２００が複数の部分画像から生成した合成画像の例を示す。画像合成部２００は、画像取得部１６０において取得された複数の画像のそれぞれに含まれる、画像の向きを特定する情報に基づいて切り出し部１９０において切り出された部分画像をまとめて合成して合成画像を生成する。
【００９９】
例えば、画像取得部１６０において取得された複数の画像のそれぞれがポートレートモードを示す情報を含んでいた場合には、切り出し部１９０は、ポートレートモード、すなわち縦向きの画像から縦長の部分画像（０２０-１）、部分画像（０２２-１）、部分画像（０２３-１）、および部分画像（０２４-１）を切り出す。そして、画像合成部２００は、縦長の部分画像（０２０-１）、部分画像（０２２-１）、部分画像（０２３-１）、および部分画像（０２４-１）から合成画像６３０を生成する。
【０１００】
また、画像取得部１６０において取得された複数の画像のそれぞれがランドスケープモードを示す情報を含んでいた場合には、切り出し部１９０は、ランドスケープモード、すなわち横向きの画像から横長の部分画像（０６０-１）、部分画像（０６１-１）、部分画像（０６２-１）、および部分画像（０６３-１）を切り出す。そして、画像合成部２００は、横長の部分画像（０６０-１）、部分画像（０６１-１）、部分画像（０６２-１）、および部分画像（０６３-１）から合成画像６３５を生成する。
【０１０１】
本実施形態に係る表示装置１００によれば、撮像された画像の向きに基づいて適切な向きで部分画像を切り出して、合成画像を生成できる。これにより、ユーザは視覚的に違和感のない合成画像において、部分画像を十分に確認できる。
【０１０２】
図２４は、表示装置１００の機能構成の第４実施例を示す。表示装置１００は、画像保持部１２０、指示取得部１４０、画像取得部１６０、主要被写体特定部２４０、部分期間動画抽出部２３０、表示制御部２１０、静止画切り出し部２５０、部分動画生成部２６０、更新制御部２２０、表示部１１０、第１音声出力部２７０、および第２音声出力部２７２を備える。ここで、画像保持部１２０、指示取得部１４０、画像取得部１６０、および表示部１１０については、図１から図２３での上記説明において、同一符号で説明した各構成部分と略同一の機能を有するので、詳細な説明については省略する。なお、本実施形態に係る表示装置１００は、図１から図２３での上記で説明した表示装置１００の一例であってよい。そして、本実施形態に係る表示装置１００は、図１から図２３の上記記載で説明した表示装置１００の構成、および機能の一部または全部を更に備えてもよい。
【０１０３】
指示取得部１４０は、静止画および動画を含む複数の画像を高速で更新して表示する旨の指示、例えば、ユーザから指定された更新速度を取得する。指示取得部１４０は、ユーザから指定された、複数の画像を高速で更新して表示する旨の指示に関する情報を、画像取得部１６０および更新制御部２２０に供給する。画像取得部１６０は、指示取得部１４０から受け取った、複数の画像を高速で更新して表示して表示する旨の情報を取得した場合に、表示すべき静止画および動画を画像保持部１２０から取得する。画像取得部１６０は、画像保持部１２０から取得した画像を、主要被写体特定部２４０、表示制御部２１０、部分期間動画抽出部２３０、静止画切り出し部２５０、および部分動画生成部２６０に供給する。また、画像取得部１６０は、取得した画像に音声が含まれていた場合には、音声データを第１音声出力部２７０および第２音声出力部２７２に供給する。
【０１０４】
主要被写体特定部２４０は、画像取得部１６０において取得された動画の主要被写体を特定する。主要被写体特定部２４０は、被写体が人物である場合に当該人物を優先的に動画における主要被写体としてよい。主要被写体特定部２４０は、主要被写体を含む画像に、主要被写体であると特定した被写体の位置を特定する情報を、タグ情報として付与する。主要被写体特定部２４０は、タグ情報が付与された動画を、部分期間動画抽出部２３０および部分動画生成部２６０に供給する。部分期間動画抽出部２３０は、画像取得部１６０において取得された動画のうちで、動画の特徴的な部分期間の動画である部分期間動画を抽出する。なお、部分期間動画は、例えば、主要被写体が含まれる画像を中心として、当該画像が撮像された撮像時刻の前後における所定の期間から選択された、複数の画像よりなる動画であってよい。また、動画を構成する複数の画像は、フレーム画像、フィールド画像、及びその他の動画を構成する様々な形式の画像のいずれをも含んでよい。
【０１０５】
部分期間動画抽出部２３０は、主要被写体特定部２４０から受け取った、タグ情報が付与された動画から、部分期間動画を抽出する。すなわち、部分期間動画抽出部２３０は、主要被写体特定部２４０が特定した、主要被写体が写り込んでいる部分を含む部分期間動画を抽出する。なお、部分期間動画抽出部２３０は、抽出した部分期間動画を一意に識別できる部分期間動画識別子を、抽出した部分期間動画に付与してよい。また、部分期間動画抽出部２３０は、主要被写体が背景画像に対してより大きく写っている部分を含む複数の画像を、部分期間動画として抽出してよい。具体的には、部分期間動画抽出部２３０は、主要被写体の面積を算出して、主要被写体の面積が背景画像に対して占める割合が所定値以上である場合に、当該被写体を含む画像を中心として部分期間動画を抽出する。更に、部分期間動画抽出部２３０は、主要被写体が連続してより長い時間写っている動画の部分を、部分期間動画として抽出してよい。
【０１０６】
そして、部分期間動画抽出部２３０は、動画に付帯された音声の音量が、予め定められた所定値より大きい部分を含む画像を、部分期間動画として抽出してもよい。例えば、部分期間動画抽出部２３０は、人物の声が予め定められた所定値より大きい部分を部分期間動画として抽出してよい。なお、部分期間動画抽出部２３０は、抽出した部分期間動画の最初と最後をループさせて再生可能となるように部分期間動画を生成してもよい。部分期間動画抽出部２３０は、抽出した部分期間動画を表示制御部２１０に供給する。また、部分期間動画抽出部２３０は、部分期間動画に対応付けられた部分期間動画識別子を更新制御部２２０に供給する。
【０１０７】
表示制御部２１０は、表示部１１０が表示している静止画および動画のうちの１つの静止画または動画に代えて、画像取得部１６０において取得された静止画または動画のうちで、未だ表示部１１０に表示されていない静止画または動画を表示部１１０に表示させる。具体的には、表示制御部２１０は、画像取得部１６０から受け取った画像に、当該画像を一意に識別できる画像識別子を対応づける。なお、部分期間動画については、部分期間動画抽出部２３０において当該部分期間動画を一意に識別できる部分期間動画識別子が付与されている。
【０１０８】
そして、表示制御部２１０は、表示部１１０に表示させた画像および部分期間動画に、表示部１１０に表示させた旨を示す情報を付加する。続いて、表示制御部２１０は、表示部１１０に供給された画像および部分期間動画の情報、すなわち画像識別子、部分期間動画識別子、表示部１１０に表示させた旨を示す情報を表示部１１０から読み取って、表示制御部２１０が保持している画像および部分期間動画が表示部１１０に表示されたか否かを判断する。そして、表示制御部２１０は、未だ表示部１１０に表示されていない画像および部分期間動画を表示部１１０に供給する。
【０１０９】
また、表示制御部２１０は、画像および部分期間動画に音声が付帯されている場合には、音声データ、および音声が付帯されている画像が表示部１１０において表示される位置情報を第１音声出力部２７０または第２音声出力部２７２に供給する。更に、表示制御部２１０は、表示部１１０に表示される画像の画像識別子および次に表示されるべき画像の画像識別子、並びに表示部１１０に表示される部分期間動画の部分期間動画識別子および次に表示されるべき部分期間動画の部分期間動画識別子を更新制御部２２０に供給する。
【０１１０】
静止画切り出し部２５０は、画像取得部１６０から受け取った静止画の一部の領域を部分静止画として切り出す。静止画切り出し部２５０が切り出す領域は、主要被写体が含まれる領域であってよく、被写体が人物である場合には、当該人物が含まれる領域を優先的に切り出してよい。静止画切り出し部２５０は、切り出した部分静止画を表示部１１０に供給する。
【０１１１】
部分動画生成部２６０は、画像取得部１６０から受け取った動画に含まれる複数の動画構成画像のそれぞれの一部の領域を切り出して部分動画を生成する。部分動画生成部２６０が切り出す領域は、主要被写体が含まれる画像であってよい。なお、動画構成画像は、フレーム画像、フィールド画像、及びその他の動画を構成する様々な形式の画像のいずれをも含んでよい。また、部分動画生成部２６０は、主要被写体特定部２４０において特定された主要被写体を含むように、画像取得部１６０において取得された動画に含まれる複数の動画構成画像のそれぞれの一部の領域を切り出す。
【０１１２】
そして、部分動画生成部２６０は、主要被写体特定部２４０において特定された主要被写体を追跡した部分動画を生成してもよい。具体的には、部分動画生成部２６０は、主要被写体特定部２４０において主要被写体の位置を示す情報がタグ情報として付加された画像を用いて、主要被写体を追跡して、部分画像を生成する。より具体的には、部分動画生成部２６０は、画像に付与されたタグ情報を読み取って、主要被写体が含まれる動画構成画像の一部の領域を切り取る。そして、部分動画生成部２６０は、主要被写体が含まれる動画構成画像から切り取った領域から部分動画を生成する。部分動画生成部２６０は、生成した部分動画を表示部１１０に供給する。
【０１１３】
表示部１１０は、画像取得部１６０において取得された静止画および動画のうちの一度に表示可能な数量の静止画および動画のそれぞれを並べて表示する。表示部１１０は、画像取得部１６０において取得された静止画と、部分期間動画抽出部２３０において抽出された部分期間動画とを並べて表示してもよい。また、表示部１１０は、静止画切り出し部２５０において切り出された部分静止画と、部分動画生成部２６０において生成された部分動画のそれぞれとを並べて表示してもよい。
【０１１４】
更新制御部２２０は、ユーザから指定された更新速度、すなわち指示取得部１４０から受け取った更新速度の情報に基づいて、表示部１１０が表示する静止画または動画を順次更新して表示させる。また、更新制御部２２０は、表示部１１０に表示される画像の画像識別子および次に表示されるべき画像の画像識別子、並びに表示部１１０に表示される部分期間動画の部分期間動画識別子および次に表示されるべき部分期間動画の部分期間動画識別子に基づいて、表示部１１０に表示されている画像の更新をさせて、表示部１１０に更新後の画像を表示させる。
【０１１５】
また、更新制御部２２０は、部分期間動画抽出部２３０において抽出された部分期間動画が表示されている間に、ユーザから指定された更新速度で表示部１１０が表示する静止画を順次更新して表示してもよい。すなわち、更新制御部２２０は、部分期間動画が表示されている表示部１１０の一部分を除く、他の部分の静止画を順次更新してもよい。そして、更新制御部２２０は、部分期間動画の表示が終わった後に、当該部分期間動画が表示されていた場所に次の静止画、動画、または部分期間動画のいずれかを表示させる。
【０１１６】
更に、更新制御部２２０は、画像取得部１６０において取得された動画が表示されている間に、ユーザから指定された更新速度で表示部１１０が表示する静止画を順次更新して表示してもよい。すなわち、更新制御部２２０は、動画が表示されている表示部１１０の一部分を除く、他の部分の静止画を順次更新してもよい。そして、更新制御部２２０は、動画の表示が終わった後に、当該動画が表示されていた場所に次の静止画、動画、または部分期間動画のいずれかを表示させる。
【０１１７】
第１音声出力部２７０および第２音声出力部２７２は、表示部１１０が同時に複数の動画を表示している場合に、複数の動画のそれぞれに付帯された複数の音声のそれぞれを、複数の動画のそれぞれが表示されている位置に対応する方向からそれぞれ出力する。例えば、表示装置１００において第１音声出力部２７０と第２音声出力部２７２とは表示部１１０を挟んで対称となる位置に配置されている。そして、表示部１１０における動画の表示位置に対応して、第１音声出力部２７０または第２音声出力部２７２から当該画像の音声を出力する。
【０１１８】
例えば、表示部１１０において動画が第１音声出力部２７０により近い位置に表示されていた場合には、当該動画の音声を第１音声出力部２７０から出力する。また、第１音声出力部２７０および第２音声出力部２７２はステレオ装置であってよく、ステレオ再生における左右チャネルの位相差を制御することにより、音声が再生されている方向を特定可能としてもよい。すなわち、音声の定位位置を表示部１１０に表示されている動画の位置と一致させることによって、ユーザに当該動画の方向から音声が聞こえると感じさせることができる。
【０１１９】
記録媒体５００は、上述の画像保持部１２０、指示取得部１４０、画像取得部１６０、主要被写体特定部２４０、部分期間動画抽出部２３０、表示制御部２１０、静止画切り出し部２５０、部分動画生成部２６０、更新制御部２２０、表示部１１０、第１音声出力部２７０、および第２音声出力部２７２の動作を表示装置１００に実現させるプログラムを格納する。記録媒体５００は、インターネットなどのネットワークを介して表示装置１００に接続されていてもよい。表示装置１００は、このようなプログラムをネットワーク経由でインストールして実行してもよい。
【０１２０】
本実施形態に係る表示装置１００によれば、動画の特徴的な部分期間の動画である部分期間動画を抽出して、画像取得部１６０において取得された静止画と並べて表示できる。これにより、動画においてユーザが観賞を欲する部分を的確に表示しつつ、動画および静止画を順次更新しながら、ユーザは大量の静止画および動画を素早く確認できる。
【０１２１】
また、本実施形態に係る表示装置１００によれば、動画に含まれる主要被写体を追跡した部分画像を生成して表示できる。これにより、表示部１１０には主要被写体を中心とした部分画像が表示されるので、ユーザが所望する動画を探し出す場合に、表示部１１０において高速で静止画および動画を更新して表示しても、主要被写体が含まれる静止画および動画を見逃すことを抑制できる。
【０１２２】
更に、本実施形態に係る表示装置１００によれば、複数の動画のそれぞれに付帯された音声のそれぞれを、複数の動画のそれぞれが表示されている位置から聞こえるようにユーザに感じさせることができる。これにより、ユーザは、音声がどの動画に対応するのか素早く判断できる。
【０１２３】
図２５は、表示部１１０において静止画および動画を並べて表示させた場合の一例を示す。画像６４０において、部分画像（０２９-１）は動画に含まれる複数の動画構成画像から切り取った、一部の領域を示す。また、部分画像（０２０-１）、部分画像（０２２-１）、および部分画像（０２３-１）は静止画から切り取った一部の領域を示す。本実施形態に係る表示装置１００では、表示部１１０において、画像６４０、画像６４２、および画像６４４に含まれる、部分画像（０２９-１）、部分画像（０２９-２）、および部分画像（０２９-３）に示されるような、動画の特徴的な部分期間の動画である部分期間動画が表示される。そして、当該部分期間動画と並べて静止画の一部の領域である部分画像（０２０-１）、部分画像（０２２-１）、および部分画像（０２３-１）が表示される。
【０１２４】
そして、表示部１１０において、部分期間動画が部分画像（０２９-１）、部分画像（０２９-２）、および部分画像（０２９-３）のように動画として表示される一方で、静止画の一部の領域である画像が表示されている部分は、順次静止画が更新される。例えば、画像６４０から画像６４２に更新される場合には、部分画像（０２０-１）が部分画像（０２４-１）に更新される。続いて、画像６４２から画像６４４に更新される場合には、部分画像（０２２-１）が部分画像（０２７-１）に順次更新される。
【０１２５】
本実施形態に係る表示装置１００によれば、動画の特徴的な部分だけを部分期間動画として抽出して表示しつつ、静止画をも並べて表示して、静止画および部分期間動画を順次更新させて表示できる。これにより、ユーザは、静止画と動画とが大量に表示装置１００に格納されている場合でも、素早く所望の静止画および動画を探し出すことができる。
【０１２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【０１２７】
【図１】表示装置の一実施例である携帯型の表示装置１００を示す。
【図２】表示装置１００の機能構成の第１実施例を示すブロック図である。
【図３】図２に示した表示装置１００の動作を示すフローチャートである。
【図４】図３のＳ３００の詳細を示すフローチャートである。
【図５】図３のＳ４００の詳細を示すフローチャートである。
【図６】図３のＳ５００の詳細を示すフローチャートである。
【図７】表示装置１００がネットワーク経由で画像を取得する構成を示す。
【図８】表示装置１００の他の実施例である表示装置１０１を示す。
【図９】表示装置１００の機能構成の第２実施例を示すブロック図である。
【図１０】切り出し部１９０が部分画像を切り出す第１の例を示す図である。
【図１１】切り出し部１９０が部分画像を切り出す第２の例を示す図である。
【図１２】切り出し部１９０が部分画像を切り出す第３の例を示す図である。
【図１３】切り出し部１９０が部分画像を切り出す第４の例を示す図である。
【図１４】画像合成部２００が部分画像から生成した合成画像の例を示す図である。
【図１５】切り出し部１９０が合成画像を更新する第１の例を示す図である。
【図１６】切り出し部１９０が合成画像を更新する第２の例を示す図である。
【図１７】更新速度が閾値を越えた場合の合成画像の一例である。
【図１８】更新速度が閾値を越えた場合の合成画像の他の例である。
【図１９】図９に示した表示装置１００の動作を示すフローチャートである。
【図２０】表示装置１００の機能構成の第３実施例を示すブロック図である。
【図２１】画像合成部２００が部分画像から生成した合成画像の例を示す図である。
【図２２】画像合成部２００が部分画像から生成した合成画像の例を示す図である。
【図２３】画像合成部２００が部分画像から生成した合成画像の例を示す図である。
【図２４】表示装置１００の機能構成の第４実施例を示すブロック図である。
【図２５】表示部１１０において並べて表示された画像の例を示す図である。
【符号の説明】
【０１２８】
１０  通信網
２０  中継局
１００、１０１  表示装置
１１０  表示部
１２０  画像保持部
１３０  周波数成分算出部
１３２  オブジェクト数算出部
１３４  表示順序決定部
１４０  指示取得部
１５０  更新速度決定部
１６０  画像取得部
１６５  連写画像選択部
１８０  濃度比率更新部
１９０  切り出し部
２００  画像合成部
２１０  表示制御部
２２０  更新制御部
２３０  部分期間動画抽出部
２４０  主要被写体特定部
２５０  静止画切り出し部
２６０  部分動画生成部
２７０  第１音声出力部
２７２  第２音声出力部
３００  撮像装置
５００  記録媒体
６１０、６１２、６１４  合成画像
６２０、６２２、６２４  合成画像
６３０、６３５  合成画像
６４０、６４２、６４４  画像
【図１】
2006099058.tif 000003
【図２】
2006099058.tif 000004
【図３】
2006099058.tif 000005
【図４】
2006099058.tif 000006
【図５】
2006099058.tif 000007
【図６】
2006099058.tif 000008
【図７】
2006099058.tif 000009
【図８】
2006099058.tif 000010
【図９】
2006099058.tif 000011
【図１０】
2006099058.tif 000012
【図１１】
2006099058.tif 000013
【図１２】
2006099058.tif 000014
【図１３】
2006099058.tif 000015
【図１４】
2006099058.tif 000016
【図１５】
2006099058.tif 000017
【図１６】
2006099058.tif 000018
【図１７】
2006099058.tif 000019
【図１８】
2006099058.tif 000020
【図１９】
2006099058.tif 000021
【図２０】
2006099058.tif 000022
【図２１】
2006099058.tif 000023
【図２２】
2006099058.tif 000024
【図２３】
2006099058.tif 000025
【図２４】
2006099058.tif 000026
【図２５】
2006099058.tif 000027